(57)【要約】【課題】  病人や老人等の被介護者のおむつの取換えを容易に行えるようにする、簡易な構造のおむつ取換え介護装置を提供すること。【解決手段】  おむつ取換え介護装置は、足掛け部を備えた足掛け枠体と、該足掛け枠体が倒立自在に連結された基体と、該足掛け枠体の起立支持機構とからなり、前記起立支持機構は、前記足掛け部を水平に位置させて、前記足掛け枠体を前記基体に対して所望角度の起立状態で支持するように、該足掛け枠体と該基体との間に設けられており、使用に際して、足掛け部が仰向けに寝ている被介護者の両膝の下に位置するように足掛け枠体を配置した後、該足掛け部に該両膝が掛かった状態下に被介護者の脚部を持ち上げ、起立された該足掛け枠体を、所望の起立状態下に前記起立支持機構で支持するようになしてある。【選択図】    図２
2005261620.tif 000002
【特許請求の範囲】
【請求項１】
足掛け部を備えた足掛け枠体と、該足掛け枠体が倒立自在に連結された基体と、該足掛け枠体の起立支持機構とからなり、
前記起立支持機構は、前記足掛け部を水平に位置させて、前記足掛け枠体を前記基体に対して所望角度の起立状態で支持するように、該足掛け枠体と該基体との間に設けられており、
使用に際して、前記足掛け部が仰向けに寝ている被介護者の両膝の下に位置し且つ前記足掛け枠体が該両膝より身体の胴部方向に位置するように、該足掛け枠体を配置した後、該両膝が該足掛け部と共に持ち上げられるように該足掛け枠体を起立させることにより、該足掛け部に該両膝が掛かった状態下に被介護者の脚部を持ち上げ、起立された該足掛け枠体を、所望の起立状態下に前記起立支持機構で支持するようになしてある、おむつ取換え介護装置。
【請求項２】
前記足掛け枠体が、一対の起立枠と前記足掛け部とから略コ字状に形成されており、前記基体が、少なくとも一対の平行な側枠を備えた枠体からなり、該足掛け枠体は、その一対の起立枠それぞれの端部を介して、該基体の該一対の側枠に連結されている請求項１記載のおむつ取換え介護装置。
【請求項３】
前記足掛け枠体と前記基体との連結部に、前記起立支持機構が、設けられている請求項１又は２記載のおむつ取換え介護装置。
【請求項４】
前記足掛け部の周囲に柔軟性部材が巻回されている請求項１〜３の何れかに記載のおむつ取換え介護装置。
【請求項５】
前記起立支持機構は、起立された前記足掛け枠体を所望の角度の起立状態で維持可能なように設けられたラチエット機構である請求項１〜４の何れかに記載のおむつ取換え介護装置。
【発明の詳細な説明】
【技術分野】
【０００１】
本発明は、おむつ取換え介護装置、詳しくは、病人や老人等の被介護者のおむつの取換えを容易に行えるようにする、簡易な構造のおむつ取換え介護装置に関する。
【背景技術】
【０００２】
従来より、病人や老人等の寝たきりの被介護者のおむつの取換えは、通常、被介護者の脚部及び腰部を持ち上げて行っており、このような持ち上げ作業には、数人の介護者を必要とする等、多大な労力を要した。
そこで、介護者の労力を軽減するために、一人の介護者により被介護者の脚部及び腰部を持ち上げ可能にした装置として、特開２００２−１７７９６号公報、特開２００１−５４５３０号公報及び特開２０００−１７５９５１号公報等に記載の発明等が提案されている。
しかし、上述の装置による場合、おむつの取換えは容易になるが、体の硬い被介護者にとって、脚部と共に腰部を持ち上げられることは、腰部に負担が掛かり大きな苦痛を伴う他に、上述の装置は下記のような問題を有していた。
特開２００２−１７７９６号公報に記載の装置は、脚部の膝裏に当接するリフト手段、該リフト手段を被介護者の方向に旋回して持ち上げる旋回手段及びこれによって持ち上げられたリフト手段を更に介護者の方向に競り上げて持ち上げる競上手段を具備してなるもので、構造的に大掛かりな装置である。
また、特開２００１−５４５３０号公報に記載の装置は、簡易な構造ではなく、使用に際して、介護者が被介護者の脚部を持ち上げて脚受１９の上に配置する必要がある等、それなりの労力を要するものである。
特開２０００−１７５９５１号公報に記載の器具は、比較的簡易な構造の物ではあるが、使用時において、介護者が器具から手を離すと倒れ易い物であった。
【０００３】
【特許文献１】特開２００２−１７７９６号公報
【特許文献２】特開２００１−５４５３０号公報
【特許文献３】特開２０００−１７５９５１号公報
【発明の開示】
【発明が解決しようとする課題】
【０００４】
従って、本発明の目的は、病人や老人等の被介護者のおむつの取換えを容易に行えるようにする、簡易な構造のおむつ取換え介護装置を提供することにある。
【課題を解決するための手段】
【０００５】
本発明は、足掛け部を備えた足掛け枠体と、該足掛け枠体が倒立自在に連結された基体と、該足掛け枠体の起立支持機構とからなり、前記起立支持機構は、前記足掛け部を水平に位置させて、前記足掛け枠体を前記基体に対して所望角度の起立状態で支持するように、該足掛け枠体と該基体との間に設けられており、使用に際して、前記足掛け部が仰向けに寝ている被介護者の両膝の下に位置し且つ前記足掛け枠体が該両膝より身体胴部方向に位置するように、該足掛け枠体を配置した後、該両膝が該足掛け部と共に持ち上げられるように該足掛け枠体を起立させることにより、該足掛け部に該両膝が掛かった状態下に被介護者の脚部を持ち上げ、起立された該足掛け枠体を、所望の起立状態下に前記起立支持機構で支持するようになしてある、おむつ取換え介護装置を提供することにより、上記目的を達成したものである。
【発明の効果】
【０００６】
本発明のおむつ取換え介護装置は、病人や老人等の被介護者のおむつの取換えを容易に行えるようにするもので、簡易な構造のものである。本発明のおむつ取換え介護装置によれば、使用に際して、足掛け枠体と基体とを折り重ねた状態で、前記足掛け部が仰向けに寝ている被介護者の両膝の下に位置し且つ前記足掛け枠体が該両膝より身体胴部方向に位置するように、該足掛け枠体を配置した後、該足掛け部に該両膝が掛かった状態下に該足掛け部を起立させることにより、被介護者の脚部を持ち上げ、起立された該足掛け枠体を前記起立支持機構で支持するだけで、被介護者の体を、容易におむつ取換え可能な状態にすることができる。その結果、一人の介護者でおむつを容易に取り替え可能であるから、おむつ取り替え時に被介護者へ無用な負担をかけること無く、労力の軽減化を図れる。
【発明を実施するための最良の形態】
【０００７】
本発明のおむつ取換え介護装置を、その好ましい一実施形態について、図１〜図４を参照して説明する。
本実施形態のおむつ取換え介護装置は、図１及び図２に示すように、足掛け部１２を備えた足掛け枠体１と、該足掛け枠体１が倒立自在に連結された基体２と、該足掛け枠体１の起立支持機構３とからなり、前記起立支持機構３は、前記足掛け部１２を水平に位置させて、前記足掛け枠体１を前記基体２に対して所望角度αの起立状態で支持するように、該足掛け枠体１と該基体２との間に設けられている。
そして、本実施形態のおむつ取換え介護装置は、図３及び図４に示すように、使用に際して、前記足掛け部１２が仰向けに寝ている被介護者Ｐの両膝Ｐ１の下に位置し且つ前記足掛け枠体１が該両膝Ｐ１より身体胴部方向に位置するように、該足掛け枠体１を配置した後、該両膝Ｐ１が該足掛け部１２と共に持ち上げられるように該足掛け枠体１を起立させることにより、該足掛け部１２に該両膝Ｐ１が掛かった状態下に被介護者Ｐの脚部Ｐ２を持ち上げ、起立された該足掛け枠体１を前記起立支持機構３で支持するようになしてある。
【０００８】
本実施形態のおむつ取換え介護装置について詳述すると、図１及び図２に示すように、前記足掛け枠体１が、一対の起立枠１１，１１と前記足掛け部１２とから略コ字状に形成されており、前記基体２が、少なくとも一対の平行な側枠２１，２１を備えた枠体からなり、該足掛け枠体１は、その一対の起立枠１１，１１それぞれの端部１１Ａ，１１Ａを介して、該基体１の該一対の側枠２１，２１に連結されている。また、前記足掛け部１２の周囲には柔軟性部材１３が巻回されている。
足掛け部１２の幅は、被介護者Pの脚部P２の幅よりも充分に広くなっており、足掛け部１２（柔軟性部材１３）を掴んで足掛け枠体１を持ち上げられるようになっている。柔軟性部材１３は、使用時における被介護者Ｐの両膝Ｐ１と足掛け部１２との緩衝材としての役割を果たすもので、本実施形態においては、足掛け部１２を被嵌し得る円筒状の発泡ウレタン材を用いている。
【０００９】
前記基体２は、その前記側枠２１，２１が、図１及び図２に示すように、連結枠２２，２３によって連結されて形成された枠体からなり、該側枠２１，２１それぞれの一端部２Ａ、２Aは開放端となされ、他端部２B，２Bは連結枠２２で閉鎖されている。基体２は、足掛け枠体１と同じく金属製のパイプ材から形成されており、側枠２１，２１間の幅は、足掛け枠体１の起立枠１１，１１の幅と同じになっている。
前記足掛け枠１と前記支持脚体２とは、前記足掛け枠体１が所望の角度α（図２及び図４参照）の起立状態を維持可能なように、起立支持機構３を介して連結されている。
本実施形態の起立支持機構３は、足掛け枠体１の起立枠１１、１１の端部１１A、１１Aに取り付けられた側面視で扇状のラチエット枠体３１、３１と、該ラチエット枠体３１、３１に対して支持脚体２を段階的に回動し得るラチェット３２、３２（図示せず）とからなる。そのため、基体２は、足掛け枠体１に折り重なる状態（図１参照）から、ラチェット枠体３１の内側端３１Ａ（図２参照）に当接するまで段階的に回動可能となっている。
【００１０】
本実施形態のおむつ取換え介護装置は、上述した構成からなるため、図２〜図４に示すように、起立させた足掛け枠体１を所望の起立角度α支持脚体２で支持することができる。その際の足掛け部１２の高さは、基体２に対する足掛け枠体１の起立角度α支持脚体２との開きの程度を調節することにより変更することができ、足掛け枠体１は基体２にラチエット機構３を介して連結されているので、足掛け部１２を所望の高さで固定できる。
【００１１】
次に、本実施形態のおむつ取換え介護装置の一使用態様について、図１〜図４を用いて説明する。
先ず、図１に示すように、基体２の上に足掛け枠体1を折り重ねた状態（基体２に対して足掛け枠体1を伏倒させた状態）のおむつ取換え介護装置を、介護者（図示せず）により、図３に示すように、足掛け部１２が仰向けに寝ている被介護者Ｐの両膝Ｐ１の下に位置し且つ前記足掛け枠体１が該両膝P１より身体の胴部方向に位置するように、該足掛け枠体１を配置する。
【００１２】
次に、図３に示す状態から、足掛け部１２（柔軟性部材１３）の両端部を持ち、足掛け部１２に被介護者Ｐの両膝Ｐ１が掛かった状態下に、該両膝P１が該足掛け部１２と共に持ち上げられるように該足掛け枠体を起立させる。そうすることにより、該足掛け部１２に該両膝P１が掛かった状態下に被介護者Pの脚部P２を持ち上げ、起立された該足掛け枠体１を、所望の起立状態下に前記起立支持機構３で支持する。
【００１３】
然る後、図４に示すように、被介護者Ｐの脚部Ｐ２を持ち上げた状態下（この状態下に、僅かに臀部P３及び腰部P４も持ち上げられる）で、被介護者Ｐが着用しているおむつ（図示せず）の止着部分を展開する。そして、展開したおむつを図４の右方に引き出し、足掛け枠体１及び基体２の枠体内を通過させて、被介護者Ｐからおむつを外す。
おむつを外した後、被介護者Ｐの臀部等の汚れを除去する。その後、新しいおむつ（図示せず）を、図４の左方に向けて足掛け枠体１及び基体２の枠体内を通過させて、被介護者Ｐの臀部P３及び腰部P４の下に引き入れ、所定の操作で被介護者Ｐに装着する。このようにして、被介護者Ｐのおむつを取換えることができる。
【００１４】
本実施形態のおむつ取換え介護装置は、前述した構成からなるため、一人の介護者のみで、上述の実施態様により、あお向けに寝た被介護者Ｐの体を、容易におむつ取換え可能な状態にすることができる。この際、被介護者Ｐの腰部P４を過度に持ち上げないため、被介護者Ｐの腰部P４に負担が掛かることがない。しかも、本実施形態のおむつ取換え介護装置は、簡易で且つコンパクトな構造であるため、持ち運び及び操作が容易で且つ安価に製作可能である。
【００１５】
本発明のおむつ取換え介護装置は、前記実施形態に制限されることなく、本発明の趣旨を逸脱しない限り、以下に示すように適宜変更が可能である。
前記実施形態では、前記足掛け枠体１は、略コ字状に形成されているが、コ字状に制限されず、例えば、図１に想像線で示すように一対の起立枠１１，１１それぞれの端部を延設させて該足掛け枠体１の起立を一層容易にすることも出来、また、起立支持機構３は、足掛け枠体１を基体２に対して所定の起立角度で支持出来るようになされていれば、段階的に調節可能で無くてもよく、段階的に調節可能な機構もラチエット機構に制限されず、例えば油圧シリンダを用いても良い。また、基体１は、足掛け枠体1を所望の角度で支持可能であれば、枠体に限らない。また、足掛け枠体及び基体は、金属材に限らず合成樹脂等から形成することができ、パイプ材に限らず中実の棒材、板材等から形成することもできる。
柔軟性部材１３としては、適度な柔軟性を有するものであれば、発泡樹脂材、布材等の種々の部材を用いることができる。
被介護者に用いられるおむつは、所謂使い捨ておむつでも布等からなる通常のおむつでもよい。
【図面の簡単な説明】
【００１６】
【図１】図１は、本発明の実施形態のおむつ取換え介護装置を、折り重ね状態で示す斜視図である。
【図２】図２は、図１に示すおむつ取換え介護装置の使用状態における起立状態を示す斜視図である。
【図３】図３は、図１に示すおむつ取換え介護装置の使用時における一形態の概要を示す側面図である。
【図４】図４は、図１に示すおむつ取換え介護装置の使用状態の概要を示す側面図である。
【符号の説明】
【００１７】
１  足掛け枠体
１１  起立枠
１１Ａ  端部
１２  足掛け部
１３  柔軟性部材
２  基体
２１  側枠
２Ａ  端部
３  起立支持機構
３１  ラチェット枠体
３２  ラチェット本体
Ｐ  被介護者
Ｐ１  両膝
Ｐ２  脚部
Ｐ３  臀部
Ｐ４  腰部
【図１】
2005261620.tif 000003
【図２】
2005261620.tif 000004
【図３】
2005261620.tif 000005
【図４】
2005261620.tif 000006